【事件の表示】
　特願２０１０−　４５７８０「無線通信システムにおけるデータの伝送装置及びその伝送方法」拒絶査定不服審判事件〔平成２２年　９月１６日出願公開、特開２０１０−２０６７９７〕について、次のとおり審決する。
【結　論】
　本件審判の請求は、成り立たない。
【理　由】
第１　手続の経緯  
　  
　　本願は、平成２２年３月２日（パリ条約の例による優先権主張　２００９年３月２日　米国）の出願であって、平成２３年１２月２２日付けの拒絶理由通知に対して平成２４年４月９日付けで手続補正がなされたが、同年８月２４日付けで拒絶査定がなされ、これに対し、同年１２月２７日付けで拒絶査定不服審判が請求されたものである。  
　  
第２　本願発明　  
　  
１　本願発明  
　  
　本願の請求項１ないし３に係る発明は、平成２４年４月９日付け手続補正により補正された特許請求の範囲の請求項１ないし３に記載された事項により特定されるとおりのものと認められるところ、その請求項１に係る発明（以下「本願発明」という。）は次のとおりである。
　
「【請求項１】
　ＱＡＭ信号点配置パターンにマップされた第１のデータを伝送する最初の伝送ステップと、
　前記ＱＡＭ信号点配置パターンにマップされた第２のデータを再伝送する再伝送ステップと、を含み、
　前記第２のデータは、前記第１のデータの反転であり、
　前記ＱＡＭ信号点配置パターンは、６４ＱＡＭ信号点配置パターンであり、前記第１のデータは、ビット配列（ｂ５，ｂ４，ｂ３，ｂ２，ｂ１，ｂ０）であり、前記第２のデータは、ビット配列（ｂ０，ｂ１，ｂ２，ｂ３，ｂ４，ｂ５）であり、
　前記６４ＱＡＭ信号点配置パターンの変調シンボルは、６ビット［ａ５，ａ４，ａ３，ａ２，ａ１，ａ０］を含み、前記ビット［ａ５，ａ２］は、高信頼性を有し、前記ビット［ａ４，ａ１］は、中信頼性を有し、前記ビット［ａ３，ａ０］は、低信頼性を有する、無線通信システムの伝送器におけるデータの再伝送のための伝送方法。」
　
　
２　引用例、周知例及びその記載事項  
　  
（１）原査定の拒絶の理由に引用され、本願の優先権主張の日前に頒布された刊行物である特開２０００−１９９０３７号公報（平成１４年７月１２日公開、以下「引用例１」という。）には、図面とともに以下の事項が記載されている（なお、下線は当審で付した。以下、同様。）。  
　  
ａ「【０００１】
【発明の属する技術分野】
本発明は、ディジタル無線通信システムにおいて使用される
多値変調通信システムに関する。
　 
ｂ「【００４２】本発明者らは、
多値変調されたシンボル内において各ビットの誤りにくさがビットの位置によって異なる点に着目し、１シンボルに含まれるデータ（１６ＱＡＭであれば４ビットのデータ）のそれぞれを、各ビットの誤りにくさに基づいて各ビットに割り当てることにより、データの誤り率（すなわち、データの品質）を調節できる
　  
ｃ「【００９５】そこで、
本実施の形態では、再送時に、１シンボル内で各データがそれぞれ割り当てられるビットの位置を初回送信時と入れ替える。すなわち、再送時には、初回送信時に上位のビットに割り当てられていたデータほど下位のビットに割り当て、初回送信時に下位のビットに割り当てられていたデータほど上位のビットに割り当てて送信する。これにより、再送時には、初回送信時に下位のビットに割り当てられていたデータほど誤って判定される確率が低くなる。
　 
ｄ「【０１０１】
ビット列変換部６０６は、１シンボル内でのビットの並び順を、奇数回目の送信時と偶数回目の送信時とで逆転させる。つまり、ビット列変換部６０６は、データの再送が発生する度に、１シンボル内において各データを割り当てるビット位置を変更する。
　
ｅ「【０１１８】次いで、上記構成を有する多値変調通信システムの動作について具体的に説明する。
図１２は、本発明の実施の形態２に係る多値変調通信システムの動作を模式的に示した図である。
【０１１９】
まず、初回送信時には、
１シンボル内において、ｄ
1
が１ビット目に、ｄ
2
が２ビット目に、ｄ
3
が３ビット目に、ｄ
4
が４ビット目にそれぞれ割り当てられる。よって、初回送信時には、ｄ
1
およびｄ
2
はｄ
3
およびｄ
4
に比べて高品質となり、ｄ
3
およびｄ
4
はｄ
1
およびｄ
2
に比べて低品質となる。ｄ
1
〜ｄ
4
を含むシンボルは、多値変調部６０５で１６ＱＡＭを用いて多値変調される。
【０１２０】初回送信時には、無線受信装置７００では、スイッチ７０５が、多値復調部７０４と合成部７０６とを接続する。よって、多値復調部７０４から出力された各データの復調結果は、ビット列の並び替えが行われずに合成部７０６に入力される。つまり初回送信時には、無線受信装置７００において、ｄ1およびｄ2の復調結果はｄ3およびｄ4の復調結果に比べて高品質となり、ｄ3およびｄ4の復調結果はｄ1およびｄ2の復調結果に比べて低品質となる。この復調結果は、記憶部７０８に記憶される。
【０１２１】
再送時（２回目送信時）には、
１シンボル内におけるビット列の並び順が初回送信時と逆転される。よって、ｄ
4
が１ビット目に、ｄ
3
が２ビット目に、ｄ
2
が３ビット目に、ｄ
1
が４ビット目にそれぞれ割り当てられる。よって、２回目送信時には、ｄ
3
およびｄ
4
はｄ
1
およびｄ
2
に比べて高品質となり、ｄ
1
およびｄ
2
はｄ
3
およびｄ
4
に比べて低品質となる。ｄ
1
〜ｄ
4
を含むシンボルは、多値変調部６０５で１６ＱＡＭを用いて多値変調される。
　
ｆ「【０１２７】
また、本実施の形態では、多値変調方式として１６ＱＡＭを用いた場合について説明したため、シンボル内で設定できる品質は高低の２段階である。
しかし、例えば多値変調方式として６４ＱＡＭを用いた場合には、シンボル内で設定できる品質は高中低の３段階である。よって、６４ＱＡＭを用いた場合には、再送が発生する度にシンボル内において再送データを高品質のビットと中品質のビットと低品質のビットとに順次割り当てる構成としてもよい。２５６ＱＡＭ等、他の多値変調方式でも同様である。
　
　
ア　上記ａの「【０００１】【発明の属する技術分野】本発明は、ディジタル無線通信システムにおいて使用される‥‥‥多値変調通信システムに関する。」との記載、及び上記ｂの「【００４２】‥‥‥多値変調されたシンボル内において各ビットの誤りにくさがビットの位置によって異なる点に着目し、１シンボルに含まれるデータ‥‥‥のそれぞれを、各ビットの誤りにくさに基づいて各ビットに割り当てることにより、データの誤り率（すなわち、データの品質）を調節できる‥‥‥」との記載から、「多値変調されたシンボル内において、１シンボルに含まれるデータのそれぞれを、各ビットの誤りにくさに基づいて各ビットに割り当てることにより、データの誤り率（すなわち、データの品質）を調節する、ディジタル無線通信システムにおいて使用される多値変調通信システム」が記載されているということができる。
　
イ　上記ｅの「【０１１８】‥‥‥図１２は、本発明の実施の形態２に係る多値変調通信システムの動作を模式的に示した図である。‥‥‥【０１１９】まず、初回送信時には、‥‥‥１シンボル内において、ｄ1が１ビット目に、ｄ2が２ビット目に、ｄ3が３ビット目に、ｄ4が４ビット目にそれぞれ割り当てられる。よって、初回送信時には、ｄ1およびｄ2はｄ3およびｄ4に比べて高品質となり、ｄ3およびｄ4はｄ1およびｄ2に比べて低品質となる。ｄ1〜ｄ4を含むシンボルは、多値変調部６０５で１６ＱＡＭを用いて多値変調される。‥‥‥【０１２０】‥‥‥【０１２１】再送時（２回目送信時）には、‥‥‥１シンボル内におけるビット列の並び順が初回送信時と逆転される。よって、ｄ4が１ビット目に、ｄ3が２ビット目に、ｄ2が３ビット目に、ｄ1が４ビット目にそれぞれ割り当てられる。よって、２回目送信時には、ｄ3およびｄ4はｄ1およびｄ2に比べて高品質となり、ｄ1およびｄ2はｄ3およびｄ4に比べて低品質となる。ｄ1〜ｄ4を含むシンボルは、多値変調部６０５で１６ＱＡＭを用いて多値変調される。‥‥‥」との記載から、引用例１には、「１６ＱＡＭを用いた場合、まず、初回送信時には、１シンボル内において、ｄ1が１ビット目に、ｄ2が２ビット目に、ｄ3が３ビット目に、ｄ4が４ビット目にそれぞれ割り当てられて、ｄ1およびｄ2はｄ3およびｄ4に比べて高品質となり、ｄ3およびｄ4はｄ1およびｄ2に比べて低品質となり、再送時には、１シンボル内におけるビット列の並び順が初回送信時と逆転され、ｄ4が１ビット目に、ｄ3が２ビット目に、ｄ2が３ビット目に、ｄ1が４ビット目にそれぞれ割り当てられて、ｄ3およびｄ4はｄ1およびｄ2に比べて高品質となり、ｄ1およびｄ2はｄ3およびｄ4に比べて低品質となる」ことが記載されているということができる。
　
ウ　上記ｆの「【０１２７】また、本実施の形態では、多値変調方式として１６ＱＡＭを用いた場合について説明したため、シンボル内で設定できる品質は高低の２段階である。‥‥‥しかし、例えば多値変調方式として６４ＱＡＭを用いた場合には、シンボル内で設定できる品質は高中低の３段階である。」との記載から、引用例１には、「多値変調方式として１６ＱＡＭを用いた場合ではなく６４ＱＡＭを用いた場合は、シンボル内で設定できる品質は高中低の３段階となる」ことが記載されている。
　
　
　上記引用例１に記載された事項、図面の記載、及び上記アないしウを総合すると、引用例１には、次の発明が記載されている（以下「引用発明」という。）。  
　
「多値変調されたシンボル内において、１シンボルに含まれるデータのそれぞれを、各ビットの誤りにくさに基づいて各ビットに割り当てることにより、データの誤り率（すなわち、データの品質）を調節する、ディジタル無線通信システムにおいて使用される多値変調通信システムにおいて、
　１６ＱＡＭを用いた場合、まず、初回送信時には、１シンボル内において、ｄ1が１ビット目に、ｄ2が２ビット目に、ｄ3が３ビット目に、ｄ4が４ビット目にそれぞれ割り当てられて、ｄ1およびｄ2はｄ3およびｄ4に比べて高品質となり、ｄ3およびｄ4はｄ1およびｄ2に比べて低品質となり、再送時には、１シンボル内におけるビット列の並び順が初回送信時と逆転され、ｄ4が１ビット目に、ｄ3が２ビット目に、ｄ2が３ビット目に、ｄ1が４ビット目にそれぞれ割り当てられて、ｄ3およびｄ4はｄ1およびｄ2に比べて高品質となり、ｄ1およびｄ2はｄ3およびｄ4に比べて低品質となり、
　多値変調方式として１６ＱＡＭを用いた場合ではなく６４ＱＡＭを用いた場合は、シンボル内で設定できる品質は高中低の３段階となる、
　ディジタル無線通信システムにおいて使用される多値変調通信システム。」  
　
（２）原査定の拒絶の理由に引用され、本願の優先権主張の日前に頒布された刊行物である特開２００３−１９８５０３号公報（平成１５年７月１１日公開、以下「引用例２」という。）には、図面とともに以下の事項が記載されている。　  
　
「【００１５】上述したように、前記チャンネル符号化部１１０からの符号化ビットはインターリービングされた後、前記変調部１４０による変調過程を経るが、前記
変調部１４０は
１６ＱＡＭ及び６４ＱＡＭなどの各種の変調方式を支援する。
一つの変調シンボルにマッピングされる各々のビットはその位置に応じて相異なる伝送信頼度を有する。
【００１６】ここで、伝送信頼度について説明すると、Ｉ(In Phase)-Ｑ(Quadrature Phase)信号星状度で変調シンボルの位置に応じて左／右又は上／下の大きい(micro)領域を示す二つのビットは相対的に高い信頼度を有し、大きい領域を構成する小さい(micro)領域を示す残余ビットは相対的に低い信頼度を有する。　
【００１７】図２は１６ＱＡＭによる変調時に使用される信号星状度の一例を示した図である。図２を参照すれば、一つの１６ＱＡＭ変調シンボルは４個のビット[ｉ１，ｑ１，ｉ２，ｑ２]からなり、この場合の信頼度パターンは[Ｈ，Ｈ，Ｌ，Ｌ](ここで、Ｈは高い信頼度を、Ｌは低い信頼度を示す)となる。すなわち、上位２ビット[ｉ１，ｑ１]は相対的に高い信頼度を有し、下位２ビット[ｉ２，ｑ２]は相対的に低い信頼度を示す。
【００１８】
図３は６４ＱＡＭによる変調時に使用される信号星状度の一例を示した図である。図３を参照すれば、一つの６４ＱＡＭ変調シンボルは６個のビット[ｉ１，ｑ１，ｉ２，ｑ２，ｉ３，ｑ３]からなり、この場合の信頼度パターンは[Ｈ，Ｈ，Ｍ，Ｍ，Ｌ，Ｌ](ここで、Ｍは中間程度の信頼度を示す)となる。
　
　上記の記載から、引用例２には、次の事項が記載されているということができる。  
　
（ア）「ＱＡＭの一つの変調シンボルにマッピングされる各々のビットが、その位置に応じて相異なる伝送信頼度を有すること。」
　
（イ）「６４ＱＡＭによる変調時に使用される信号星状度の一例として、６個のビット[ｉ１，ｑ１，ｉ２，ｑ２，ｉ３，ｑ３]の信頼度パターンを[Ｈ，Ｈ，Ｍ，Ｍ，Ｌ，Ｌ](ここで、Ｍは中間程度の信頼度を示す)とすること。」
　
　
（３）原査定の備考に周知例として引用され、本願の優先権主張の日前に頒布された刊行物である国際公開第２００７／１１０９０１号（２００７年１０月４日公開、以下「周知例１」という。）には、図面とともに以下の事項が記載されている（なお、下線は当審で付した。以下、同様。）。
　
　「【００３４】
　キャリア内ビットインタリーバ５においては、変調方式がＢＰＳＫやＱＰＳＫの場合は、各ビットの誤り率が同一のため、ビットインタリーブによる効果はないが、ＱＡＭ変調の場合は、誤りが高いビットと誤り率の低いビットが混在することになるため、ビットインタリーブによる効果が得られる。たとえば、
変調方式が２５６ＱＡＭで、図３に示すような信号点配置の場合、ｉ０，ｉ１，ｉ２，ｉ３，ｑ０，ｑ１，ｑ２，ｑ３と信号を並べると、ｉ０からｉ３までの誤り率はｉ０＜ｉ１＜ｉ２＜ｉ３となり、ｑ０からｑ３までの誤り率はｑ０＜ｑ１＜ｑ２＜ｑ３となる。
　
　上記の記載において、誤り率が低いほど高信頼性を有するといえること、（ｉ０，ｉ１，ｉ２，ｉ３）を上位ビット列、（ｑ０，ｑ１，ｑ２，ｑ３）を下位ビット列ということができることから、周知例１には、次の技術が記載されているということができる。
　
「２５６ＱＡＭにおいて、上位ビット列（ｉ０，ｉ１，ｉ２，ｉ３）と下位ビット列（ｑ０，ｑ１，ｑ２，ｑ３）のそれぞれのビット列の中で、上位桁のものほど信頼性を高いものとする技術。」
　
　
３　対比  
　本願発明と引用発明とを対比する。
　
（Ａ）引用発明は「多値変調されたシンボル内において、１シンボルに含まれるデータのそれぞれを、各ビットの誤りにくさに基づいて各ビットに割り当てることにより、データの誤り率（すなわち、データの品質）を調節する、ディジタル無線通信システムにおいて使用される多値変調通信システムにおいて、」「１６ＱＡＭを用いた場合、」と「６４ＱＡＭを用いた場合」があることから、多値変調は具体的には、ＱＡＭといえ、また、その場合の「多値変調されたシンボル」のパターンは、「ＱＡＭ信号点配置パターン」ということができる。
　ここで、ＱＡＭを用いた通信システムは、データを「ＱＡＭ信号点配置パターン」にマップされたデータを伝送するものであり、また、引用発明も「初回送信時」と「再送時」を有することから、最初の伝送ステップと、再伝送するステップを備えるものである。
　したがって、引用発明と本願発明とは、「ＱＡＭ信号点配置パターンにマップされた第１のデータを伝送する最初の伝送ステップと、前記ＱＡＭ信号点配置パターンにマップされた第２のデータを再伝送する再伝送ステップと、を含」む点で一致する。
　
（Ｂ）引用発明は、「１６ＱＡＭを用いた場合、まず、初回送信時には、１シンボル内において、ｄ1が１ビット目に、ｄ2が２ビット目に、ｄ3が３ビット目に、ｄ4が４ビット目にそれぞれ割り当てられて、ｄ1およびｄ2はｄ3およびｄ4に比べて高品質となり、ｄ3およびｄ4はｄ1およびｄ2に比べて低品質となり、再送時には、１シンボル内におけるビット列の並び順が初回送信時と逆転され、ｄ4が１ビット目に、ｄ3が２ビット目に、ｄ2が３ビット目に、ｄ1が４ビット目にそれぞれ割り当てられて、ｄ3およびｄ4はｄ1およびｄ2に比べて高品質となり、ｄ1およびｄ2はｄ3およびｄ4に比べて低品質とな」るものであるから、「再送時には１シンボル内におけるビット列の並び順が初回送信時と逆転され」るものであるから、再送時のデータは、初回送信時のデータの反転ということができ、
　そして、引用発明は、「多値変調方式として１６ＱＡＭを用いた場合ではなく６４ＱＡＭを用いた場合は、シンボル内で設定できる品質は高中低の３段階となる」ものであるから、６４ＱＡＭを用いた場合においても、再送時のデータは、初回送信時のデータの反転するものと捉えることができる。
　したがって、６４ＱＡＭを用いた場合においても、本願発明と引用発明とは、「前記第２のデータは、前記第１のデータの反転であ」る点で一致する。
　
（Ｃ）
（１）引用発明は、「１６ＱＡＭを用いた場合、まず、初回送信時には、１シンボル内において、ｄ1が１ビット目に、ｄ2が２ビット目に、ｄ3が３ビット目に、ｄ4が４ビット目にそれぞれ割り当てられて、‥‥‥再送時には、１シンボル内におけるビット列の並び順が初回送信時と逆転され、ｄ4が１ビット目に、ｄ3が２ビット目に、ｄ2が３ビット目に、ｄ1が４ビット目にそれぞれ割り当てられ」るものであるから、「１６ＱＡＭ信号点配置パターンにおいて、初回送信時は、ビット配列（ｄ1，ｄ2，ｄ3，ｄ4）であり、再送時には、ビット配列（ｄ4，ｄ3，ｄ2，ｄ1）である」ものということができる。
（２）ここで、引用発明は、「多値変調方式として１６ＱＡＭを用いた場合ではなく６４ＱＡＭを用いた場合は、シンボル内で設定できる品質は高中低の３段階となる」ものであって、６４ＱＡＭの場合のビット配列を「１６ＱＡＭを用いた場合」と同様に、（ｄ1，ｄ2，ｄ3，ｄ4，ｄ5，ｄ6）とすれば、「６４ＱＡＭ信号点配置パターンにおいて、初回送信時は、ビット配列（ｄ1，ｄ2，ｄ3，ｄ4，ｄ5，ｄ6）であり、再送時には、ビット配列（ｄ6，ｄ5，ｄ4，ｄ3，ｄ2，ｄ1）である」ということができる。
　したがって、本願発明と引用発明とは、「前記ＱＡＭ信号点配置パターンは、６４ＱＡＭ信号点配置パターンであり、前記第１のデータは、ビット配列（ｂ５，ｂ４，ｂ３，ｂ２，ｂ１，ｂ０）であり、前記第２のデータは、ビット配列（ｂ０，ｂ１，ｂ２，ｂ３，ｂ４，ｂ５）である」点で一致する。
　
（Ｄ）引用発明は、「多値変調方式として１６ＱＡＭを用いた場合ではなく６４ＱＡＭを用いた場合は、シンボル内で設定できる品質は高中低の３段階となる」ことにおいて、６４ＱＡＭの信号点配置パターンの変調シンボルは、６ビットを含むことは明らかであり、また、高、中、低の品質は、１６ＱＡＭの場合と同様に、「高信頼性」、「中信頼性」、「低信頼性」と捉えることができる。
　ここで、６ビットの表記を［ａ５，ａ４，ａ３，ａ２，ａ１，ａ０］とすれば、引用発明と本願発明とは、「前記６４ＱＡＭ信号点配置パターンの変調シンボルは、６ビット［ａ５，ａ４，ａ３，ａ２，ａ１，ａ０］を含み、前記ビットは、高信頼性、中信頼性、低信頼性を有する」点で共通する。
　  
（Ｅ）引用発明は「再送時には、１シンボル内におけるビット列の並び順が初回送信時と逆転され」る、「ディジタル無線通信システムにおいて使用される多値変調通信システム」であって、「ディジタル無線通信システム」は、無線通信のために「伝送器」を含むことは明らかであり、また、「ディジタル無線通信システム」は、「再送時には、１シンボル内におけるビット列の並び順が初回送信時と逆転され」ることから、「データの再伝送のための伝送方法」としての機能を備えるものと捉えることができる。
　したがって、本願発明と引用発明とは、「無線通信システムの伝送器におけるデータの再伝送のための伝送方法」を備える点で一致する。
　
　すると、本願発明と引用発明とは、次の＜一致点＞及び＜相違点＞を有する。  
　
＜一致点＞  
「ＱＡＭ信号点配置パターンにマップされた第１のデータを伝送する最初の伝送ステップと、
　前記ＱＡＭ信号点配置パターンにマップされた第２のデータを再伝送する再伝送ステップと、を含み、
　前記第２のデータは、前記第１のデータの反転であり、
　前記ＱＡＭ信号点配置パターンは、６４ＱＡＭ信号点配置パターンであり、前記第１のデータは、ビット配列（ｂ５，ｂ４，ｂ３，ｂ２，ｂ１，ｂ０）であり、前記第２のデータは、ビット配列（ｂ０，ｂ１，ｂ２，ｂ３，ｂ４，ｂ５）であり、
　前記６４ＱＡＭ信号点配置パターンの変調シンボルは、６ビット［ａ５，ａ４，ａ３，ａ２，ａ１，ａ０］を含み、前記ビットは、高信頼性、中信頼性、低信頼性を有する、無線通信システムの伝送器におけるデータの再伝送のための伝送方法。」
　
＜相違点＞  
　本願発明が、「前記ビット［ａ５，ａ２］は、高信頼性を有し、前記ビット［ａ４，ａ１］は、中信頼性を有し、前記ビット［ａ３，ａ０］は、低信頼性を有する」ものであるのに対し、引用発明は、このような特定がない点。 
　
　
４　判断  
　
＜相違点＞について  
　引用発明は、「多値変調されたシンボル内において、１シンボルに含まれるデータのそれぞれを、各ビットの誤りにくさに基づいて各ビットに割り当てることにより、データの誤り率（すなわち、データの品質）を調節する、ディジタル無線通信システムにおいて使用される多値変調通信システム」であり、多値変調として、具体的には、「１６ＱＡＭ」や「６４ＱＡＭ」とするものである。ここで、各ビットの誤りにくさに基づいて、どのビットを割り当てるかは、複数通りのビットの割当てから、当業者が任意に決定し得る事項であるから、「６４ＱＡＭ」の場合において、本願発明のように、ビット［ａ５，ａ２］は高信頼性を有し、ビット［ａ４，ａ１］は中信頼性を有し、前記ビット［ａ３，ａ０］は低信頼性を有するように割り当てることは、当業者が容易になし得る事項である。
　
　また、ＱＡＭ信号点配置パターンの変調シンボルにマッピングされる各々のビットが、その位置に応じて相異なる伝送信頼度を有することは、引用例２に記載されているように周知技術であり（上記２（２）（ア））、また、引用例２には、６４ＱＡＭにおける６個のビット[ｉ１，ｑ１，ｉ２，ｑ２，ｉ３，ｑ３]の信頼度パターンを[Ｈ，Ｈ，Ｍ，Ｍ，Ｌ，Ｌ](ここで、Ｍは中間程度の信頼度を示す)とすることが、一例として示されている（上記２（２）（イ））ことから、この他の例を想定して、複数とおりのビットのマッピングのうちから、どの位置のビットを高信頼性、中信頼性、低信頼性に割り当てるかは、当業者が任意に決定し得る事項であって、この点からも、本願発明のようにすることは当業者が容易になし得る事項である。
　
　さらに、例えば、周知例１には、２５６ＱＡＭにおいて、上位ビット列と下位ビット列のそれぞれのビット列の中で、上位桁のものほど信頼性を高いものとすることが記載されており（上記２（３））、また、変調方式がＱＡＭの場合において、信号点の配置パターン数がそれぞれ異なる、１６ＱＡＭ、６４ＱＡＭ、２５６ＱＡＭは周知慣用技術であるから、引用発明において、６４ＱＡＭの信号点の配置パターンにデータのビットを割り当てるにあたり、例えば、周知例１に記載された周知な事項を適用して、６４ＱＡＭの６ビットからなるビット列においても、同様に、上位ビット列と下位ビット列の二つに分け、上位ビット列及び下位ビット列の上位ビットを、高信頼性を有するビットとし、上位ビット列及び下位ビット列の中位ビットを、中信頼性を有するビットとし、上位ビット列及び下位ビット列の下位ビットを、低信頼性を有するビットとすることは、当業者が容易になし得ることである。
　よって、この点からも、本願発明のようにすることは当業者が容易になし得る事項である。　
　
　そして、上記相違点を総合的に判断しても、本願発明が奏する効果は引用発明及び周知な事項から当業者が十分に予測できたものであって格別なものとはいえない。  
　
　したがって、本願発明は、引用発明及び周知な事項に基づいて、当業者が容易に発明をすることができたものである。  
　
　
５　むすび  
　以上のとおり、本願発明は、特許法第２９条第２項の規定により特許を受けることができないものであるから、その余の請求項に論及するまでもなく、本願は拒絶すべきものである。  
　
　よって、結論のとおり審決する。